(57)【要約】【課題】照明装置の配光が制御されない構成に比べて、照明装置のうちの発光部から近い箇所と遠い箇所とにおいて照明装置から出射される光量を均一にすることを目的とする。【解決手段】照明部６０は、第１方向に発光する発光部６４と、第１方向において複数並べて設けられ、発光部６４から発せられた光を反射する第１反射部と、隣り合う二つの第１反射部の間にて、光の入射角が、隣の第１反射部に対する光の入射角よりも小さくなるように設けられ、光を反射する第２反射部と、を備える。また、発光部６４から近い側に設けられている第１反射部および第２反射部は、発光部６４から遠い側に設けられている第１反射部および第２反射部よりも、第１方向に向けた光の反射量が大きい。【選択図】図３
2018097919.tif 000002
【特許請求の範囲】
【請求項１】
第１方向に発光する発光部と、
前記第１方向において複数並べて設けられ、前記発光部から発せられた光を反射する第１反射部と、
隣り合う二つの前記第１反射部の間にて、前記光の入射角が、隣の当該第１反射部に対する当該光の入射角よりも小さくなるように設けられ、当該光を反射する第２反射部と、
を備える、照明装置。
【請求項２】
前記発光部から近い側に設けられている前記第１反射部および前記第２反射部は、当該発光部から遠い側に設けられている前記第１反射部および前記第２反射部よりも、前記第１方向に向けた光の反射量が大きい請求項１記載の照明装置。
【請求項３】
前記発光部から近い側に設けられている前記第１反射部は、当該発光部から遠い側に設けられている前記第１反射部よりも、隣り合う他の前記第１反射部との間隔が長い請求項２記載の照明装置。
【請求項４】
前記発光部は、前記第１反射部から離れる側よりも当該第１反射部に近づく側に多くの光を照射する請求項３記載の照明装置。
【請求項５】
前記第１反射部および前記第２反射部よりも前記発光部からさらに遠い側にて突出して設けられ、前記第２反射部にて反射された光を、前記第１方向と交差する第２方向へ反射する突出部をさらに備える請求項１記載の照明装置。
【請求項６】
前記突出部よりも前記発光部からさらに遠い側に設けられ、当該突出部よりもさらに突出し、前記第２反射部により反射された光を、前記第２方向へ反射する下流側突出部をさらに備える請求項５記載の照明装置。
【請求項７】
発光する発光部と、
第１方向に沿って設けられ、前記発光部を当該第１方向における一端部に収容するとともに当該発光部の光が出る出射部を有する収容部と、
前記収容部内に設けられ、前記発光部により発せられた光を前記第１方向と交差する第２方向へ向けて反射する反射部材と、
を備え、
前記反射部材は、前記第２方向において前記出射部が設けられている側とは反対側に設けられ、前記光を反射せずに前記第１方向における他端部側へ進行させる進行部を有することを特徴とする照明装置。
【請求項８】
前記第１方向における前記反射部材の下流側に設けられ、前記光を前記第２方向へ向けて反射する下流側反射部材をさらに備え、
前記下流側反射部材は、前記進行部よりも前記第２方向における長さが短く設けられ前記光を反射せずに前記第１方向においてさらに他端部側へ進行させる下流側進行部を有することを特徴とする請求項７記載の照明装置。
【請求項９】
前記下流側反射部材は、前記反射部材よりも、前記光を反射する面積が大きいことを特徴とする請求項８記載の照明装置。
【請求項１０】
発光する発光素子と、
前記発光素子から発せられた光を透過させることで偏向する透過部、および、当該発光素子から発せられた光を透過させることなく進行させる進行部を有する光学部材と、
を備える、照明装置。
【請求項１１】
前記透過部は、前記発光素子から発せられた光の光軸に沿う方向へ進行する光を透過させ、
前記発光素子から発せられ前記光軸から離れる方向へ進行する光の一部は、前記進行部を通ることを特徴とする請求項１０記載の照明装置。
【請求項１２】
前記光学部材は、前記発光素子を覆い、
前記進行部は、前記偏向部材の両端部に設けられていることを特徴とする請求項１１記載の照明装置。
【請求項１３】
第１方向に発光する発光部と、
前記発光部の光を、前記第１方向と交差する第２方向へ反射する第１反射部材と、
前記発光部の光および前記第１反射部材により反射された光を、前記第１方向の下流側であって当該第１方向および前記第２方向に交差する方向へ反射する第２反射部材と、
前記第２反射部材により反射された光を通過させる通過部と、
を備える、照明装置。
【請求項１４】
物品を収容する収容室と、
前記収容室を照らす照明装置と、
を備え、
前記照明装置は、請求項１乃至１３の何れか記載の照明装置により構成された冷蔵庫。
【請求項１５】
車体と、
前記車体の前面側に設けられ、当該車体の前方を照らす照明装置と、
を備え、
前記照明装置は、請求項１乃至１３の何れか記載の照明装置により構成された車両。
【発明の詳細な説明】
【技術分野】
【０００１】
本発明は、照明装置、冷蔵庫、および車両に関する。
【背景技術】
【０００２】
例えば特許文献１には、導光体が一方向に延びて設けられるとともに、一方向の一端部には発光ダイオードが設けられる線上照明装置が記載されている。また特許文献１には、導光体は、一方向において一端部側から他端部側に向かうにしたがって、断面積が小さくなることが記載されている。
【先行技術文献】
【特許文献】
【０００３】
【特許文献１】特開２００９−２０５９６９号公報
【発明の概要】
【発明が解決しようとする課題】
【０００４】
照明装置には、発光する発光部が設けられている。ここで、照明装置の配光が制御されない構成であると、照明装置のうちの発光部から遠い箇所には、発光部から近い箇所に比べて光が到達しにくい。この場合、照明装置のうちの発光部から近い箇所と遠い箇所とにおいて照明装置から出射される光量が不均一になるおそれがある。
【０００５】
本発明は、照明装置の配光が制御されない構成に比べて、照明装置のうちの発光部から近い箇所と遠い箇所とにおいて照明装置から出射される光量を均一にすることを目的とする。
【課題を解決するための手段】
【０００６】
上記の目的を達成する本発明の照明装置は、第１方向に発光する発光部と、第１方向において複数並べて設けられ、発光部から発せられた光を反射する第１反射部と、隣り合う二つの第１反射部の間にて、光の入射角が、隣の第１反射部に対する光の入射角よりも小さくなるように設けられ、光を反射する第２反射部と、を備える。
そして、発光部から近い側に設けられている第１反射部および第２反射部は、発光部から遠い側に設けられている第１反射部および第２反射部よりも、第１方向に向けた光の反射量が大きいことを特徴とすることができる。
また、発光部から近い側に設けられている第１反射部は、発光部から遠い側に設けられている第１反射部よりも、隣り合う他の第１反射部との間隔が長いことを特徴とすることができる。
また、発光部は、第１反射部から離れる側よりも第１反射部に近づく側に多くの光を照射することを特徴とすることができる。
また、第１反射部および第２反射部よりも発光部からさらに遠い側にて突出して設けられ、第２反射部にて反射された光を、第１方向と交差する第２方向へ反射する突出部をさらに備えることを特徴とすることができる。
また、突出部よりも発光部からさらに遠い側に設けられ、突出部よりもさらに突出し、第２反射部により反射された光を、第２方向へ反射する下流側突出部をさらに備えることを特徴とすることができる。
【０００７】
また、上記の目的を達成する本発明の照明装置は、発光する発光部と、第１方向に沿って設けられ、発光部を第１方向における一端部に収容するとともに発光部の光が出る出射部を有する収容部と、収容部内に設けられ、発光部により発せられた光を第１方向と交差する第２方向へ向けて反射する反射部材と、を備え、反射部材は、第２方向において出射部が設けられている側とは反対側に設けられ、光を反射せずに第１方向における他端部側へ進行させる進行部を有する。
また、第１方向における反射部材の下流側に設けられ、光を第２方向へ向けて反射する下流側反射部材をさらに備え、下流側反射部材は、進行部よりも第２方向における長さが短く設けられ光を反射せずに第１方向においてさらに他端部側へ進行させる下流側進行部を有することを特徴とすることができる。
また、下流側反射部材は、反射部材よりも、光を反射する面積が大きいことを特徴とすることができる。
【０００８】
また、上記の目的を達成する本発明の照明装置は、発光する発光素子と、発光素子から発せられた光を透過させることで偏向する透過部、および、発光素子から発せられた光を透過させることなく進行させる進行部を有する光学部材と、を備える。
また、透過部は、発光素子から発せられた光の光軸に沿う方向へ進行する光を透過させ、発光素子から発せられ光軸から離れる方向へ進行する光の一部は、進行部を通ることを特徴とすることができる。
また、偏向部材は、発光素子を覆い、進行部は、偏向部材の両端部に設けられていることを特徴とすることができる。
【０００９】
また、上記の目的を達成する本発明の照明装置は、第１方向に発光する発光部と、発光部の光を、第１方向と交差する第２方向へ反射する第１反射部材と、発光部の光および第１反射部材により反射された光を、第１方向の下流側であって第１方向および第２方向に交差する方向へ反射する第２反射部材と、第２反射部材により反射された光を通過させる通過部と、を備える。
【００１０】
また、上記の目的を達成する本発明の冷蔵庫は、物品を収容する収容室と、収容室を照らす照明装置と、を備え、照明装置は、上記の照明装置の何れかにより構成される。
【００１１】
また、上記の目的を達成する本発明の車両は、車体と、車体の前面側に設けられ、車体の前方を照らす照明装置と、を備え、照明装置は、上記の照明装置の何れかにより構成される。
【発明の効果】
【００１２】
本発明によれば、照明装置の配光が制御されない構成に比べて、照明装置のうちの発光部から近い箇所と遠い箇所とにおいて照明装置から出射される光量を均一にすることができる。
【図面の簡単な説明】
【００１３】
【図１】冷蔵庫の全体構成図である。
【図２】図１の左側第１照明部の構成を図中矢印II方向から眺めた場合の状態を示した図である。
【図３】図２の照明部の構成を図中矢印III方向から眺めた場合の状態を示した図である。
【図４】特別反射部および手前側反射部により反射される光の進行について説明するための図である。
【図５】照明部の内部全体において、反射部材により反射される光の進行について説明するための図である。
【図６】照明部の配光について説明するための図である。
【図７】変形例１としての短反射部の構成例を示した図である。
【図８】変形例２として照明部を同じ向きに二つ並べた構成例を示した図である。
【図９】変形例３として二つの照明部が対向するように並べた構成例を示した図である。
【図１０】変形例４としての複数の照明部を並べた構成例を示した図である。
【図１１】冷蔵庫において実施形態２の照明部が配置される例について説明するための図である。
【図１２】実施形態２の照明部の全体構成図である。
【図１３】図１２の照明部の構成を図中矢印XIII方向から眺めた場合の状態を示した図である。
【図１４】発光部から発せられた光の進行について説明するための図である。
【図１５】実施形態３の照明部の全体構成図である。
【図１６】図１５に示した上下方向の上側Ｕから照明部を眺めた場合であって図中矢印XVI方向から照明部を眺めた場合の状態を示した図である。
【図１７】図１６に示した発光部を図中矢印XVII方向から眺めた状態を示した図であって、発光部の断面図を示した図である。
【図１８】（ａ）は、発光部から発せられた光の進行について説明するための図であり、（ｂ）は、図１８（ａ）に示した照明部を図中矢印XVIIIb方向から眺めた場合の状態を示した図である。
【図１９】実施形態４の照明部の構成部品の斜視図である。
【図２０】実施形態４の照明部の全体構成図である。
【図２１】発光部から発せられた光の進行について説明するための図である。
【図２２】照明部の配光について説明するための図である。
【図２３】照明部が取り付けられる車両の構成図である。
【発明を実施するための形態】
【００１４】
以下、添付図面を参照して、本発明の実施形態について詳細に説明する。
＜実施形態１＞
図１は、冷蔵庫１の全体構成図である。
冷蔵庫１は、図１に示すように、物品１００を収容する収容室２と、収容室２を開閉する扉３と、物品１００が載せられる棚４と、収容室２内を照らす照明６とを有する。また、冷蔵庫１は、収容室２内を冷却するための冷却器（不図示）と、冷気を収容室２に循環させるファン（不図示）とを有する。
【００１５】
なお、以下の説明では、図１に示す冷蔵庫１の前後方向の紙面手前側を単に「手前側Ｆ」、紙面奥側を単に「奥側Ｂ」と称する。また、図１に示す冷蔵庫１の左右方向の紙面左側を単に「左側Ｌ」と称し、紙面右側を単に「右側Ｒ」と称する。そして、図１に示す冷蔵庫１の上下方向の紙面上側を単に「上側Ｕ」と称し、紙面下側を単に「下側Ｄ」と称する。
【００１６】
収容室２は、左側Ｌに設けられる左側面部２Ｌと、右側Ｒに設けられる右側面部２Ｒと、上側Ｕに設けられる上面部２Ｕとを有する。また、収容室２は、下側Ｄに設けられる下面部（不図示）と、奥側Ｂに設けられる背面部２Ｂとを有する。また、収容室２は、手前側Ｆに設けられて開口する開口部２１を有する。そして、収容室２は、左側面部２Ｌ、右側面部２Ｒ、上面部２Ｕ、下面部（不図示）および背面部２Ｂによって、物品１００を収容する空間を形成する。
【００１７】
さらに、収容室２は、棚４を支持する突起部２２を有する。突起部２２は、収容室２の内側に向けて突出するとともに、手前側Ｆから奥側Ｂに向けて延びて形成される。そして、本実施形態では、突起部２２は、左側面部２Ｌと右側面部２Ｒとに一対に設けられる。
【００１８】
扉３は、本実施形態の冷蔵庫１では、左側Ｌに設けられる左側扉３Ｌと、右側Ｒに設けられる右側扉３Ｒと、を有する。右側扉３Ｒおよび左側扉３Ｌは、それぞれ収容室２の手前側Ｆにて回転可能に設けられる。そして、扉３は、開口部２１を開閉する。
棚４は、板状の部材であって、本実施形態では複数設けられる。また、棚４は、突起部２２に支持される。そして、棚４は、物品１００を載せるための面を収容室２内に形成する。
【００１９】
照明６は、左側面部２Ｌにおいて下側Ｄに設けられる左側第１照明部６０Ｌ１と、左側面部２Ｌにおいて上側Ｕに設けられる左側第２照明部６０Ｌ２とを有する。また、照明６は、右側面部２Ｒにおいて下側Ｄに設けられる右側第１照明部６０Ｒ１と、右側面部２Ｒにおいて上側Ｕに設けられる右側第２照明部６０Ｒ２とを有する。さらに、照明６は、上面部２Ｕにて左側Ｌに設けられる左側第３照明部６０Ｌ３と、上面部２Ｕにて右側Ｒに設けられる右側第３照明部６０Ｒ３とを有する。
【００２０】
なお、左側第１照明部６０Ｌ１、左側第２照明部６０Ｌ２、左側第３照明部６０Ｌ３、右側第１照明部６０Ｒ１、右側第２照明部６０Ｒ２および右側第３照明部６０Ｒ３は、それぞれ、基本構造が同じ構成になっている。また、以下の説明において、これらを特に区別しない場合には単に「照明部６０」と総称する。
【００２１】
図２は、実施形態１の照明部６０の斜視図である。より具体的には、図２は、図１の左側第１照明部６０Ｌ１の構成を図中矢印II方向から眺めた場合の状態を示している。また、図３は、図２の照明部６０の構成を図中矢印III方向から眺めた場合の状態を示した図である。
【００２２】
照明装置の一例としての照明部６０は、図２に示すように、発光する発光部６４と、発光部６４が実装される基板５４とを有する。
また、照明部６０は、発光部６４からの光を反射する反射部材６５と、発光部６４、基板５４、および、反射部材６５を収容する筐体６９とを有する。反射部材６５は、照明部６０の左右方向における左側Ｌの端部に設けられている。
【００２３】
さらに、照明部６０は、反射部材６５により反射された光を通過させるカバー部材６８を有する。カバー部材６８は、照明部６０の左右方向における右側Ｒの端部に設けられている。
なお、照明部６０のうちのカバー部材６８が設けられている側面が、冷蔵庫１（図１参照）の内部の壁面に面しないようであれば、照明部６０は冷蔵庫１にどのように取り付けられてもよい。
【００２４】
照明部６０は、図２に示すように、一方向（前後方向）に延びる長尺状に形成される。より詳細には、照明部６０は、左側面部２Ｌおよび右側面部２Ｒ（図１参照）においては、前後方向に沿って長く延びる。
また、図３に示すように、発光部６４は、発光するＬＥＤパッケージ５３０と、ＬＥＤパッケージ５３０に対向して設けられるレンズ部材５５とを有する。なお、ＬＥＤパッケージ５３０のみを発光部６４としてもよい。
【００２５】
ＬＥＤパッケージ５３０は、内部に、ＬＥＤチップ１５３（発光素子の一例）を収容してパッケージ化された光源である。ＬＥＤパッケージ５３０には、ＬＥＤチップ１５３に電気的に接続するリードフレーム（不図示）が設けられている。そして、このリードフレームを介して、ＬＥＤチップ１５３と基板５４とが電気的に接続される。また、ＬＥＤパッケージ５３０の内部には、透明な封止樹脂が充填され、ＬＥＤチップ１５３が封止された状態になっている。
【００２６】
レンズ部材５５は、ＬＥＤパッケージ５３０から入射した光を透過する。また、レンズ部材５５は、基板５４に固定される。
そして、レンズ部材５５は、ＬＥＤパッケージ５３０からの光を収容室２（図１参照）の奥側Ｂに向けるように配光を制御する。
なお、本実施形態では、レンズ部材５５の材料には、ＰＣ（ポリカーボネイト樹脂）、ＰＭＭＡ（ポリメタクリル酸メチル樹脂）などの樹脂を用いることができる。
【００２７】
レンズ部材５５は、図３に示すように、横断面（前後方向に交差する面）が台形状に形成される。ＬＥＤパッケージ５３０からの光は、レンズ部材５５の図中手前側Ｆから入射し、図中奥側Ｂから出射する。
【００２８】
また、レンズ部材５５は、光を出射する出射面５５ｒが、奥側Ｂを向くとともに僅かに左側Ｌを向くように傾斜している。言い換えると、出射面５５ｒの左右方向の中央部から延びる垂直線５５Ｌは、ＬＥＤパッケージ５３０の端面５３０Ａの左右方向の中央部から延びる垂直線５３０Ｌに対し傾斜する。
このような配置により、レンズ部材５５は、レンズ部材５５から出射される光の光軸ａ１が垂直線５３０Ｌに対して左側Ｌに位置するように配光を制御する。
【００２９】
なお、ここでいう光軸ａ１は、レンズ部材５５から出射される光において最大輝度となる光線に沿った方向である。つまり、本実施形態では、レンズ部材５５を透過してから反射部材６５により反射されるまでの光の輝度分布として、垂直線５３０Ｌよりも左側Ｌにピークがある。また、光軸ａ１は、垂直線５３０Ｌに対して図中時計回り方向に０．１度〜１０度ほど傾斜することが望ましい。
これにより、発光部６４からの光量は、左右方向において、カバー部材６８が設けられている側よりも反射部材６５が設けられている側の方が多くなる。
【００３０】
反射部材６５は、図２に示すように、照明部６０の前後方向に延びて形成される。反射部材６５の材料には、ＰＣ（ポリカーボネイト樹脂）、ＰＭＭＡ（ポリメタクリル酸メチル樹脂）、ＡＢＳ（アクリロニトリルブタジエンスチレン）、ＰＰ（ポリプロピレン）などの樹脂を用いることができる。
また、反射部材６５は、照明部６０の手前側Ｆに設けられた短反射部６６と、短反射部６６よりも奥側Ｂに設けられた突出反射部６７とを有する。突出反射部６７は、短反射部６６よりも右側Ｒに長く設けられている。言い換えると、突出反射部６７は、短反射部６６よりも突出している。
【００３１】
図３に示すように、短反射部６６は、照明部６０の手前側Ｆに設けられた手前側反射部６６１と、手前側反射部６６１よりも奥側Ｂに設けられた奥側反射部６６２とを有する。また、短反射部６６は、手前側反射部６６１よりもさらに手前側Ｆに設けられた特別反射部６６３を有する。
本実施形態では、照明部６０の手前側Ｆから順に、特別反射部６６３、手前側反射部６６１、奥側反射部６６２、突出反射部６７が設けられている。
【００３２】
手前側反射部６６１は、前後方向に沿って平らに形成された複数の手前側平坦部６６１ａを有する。また、手前側反射部６６１は、手前側平坦部６６１ａを通る直線であって前後方向に延びる直線Ｔに対してＶ字状に凹んで設けられた複数の手前側凹部６６１ｂを有する。
図２に示すように、手前側平坦部６６１ａおよび手前側凹部６６１ｂはともに、上下方向に延びて形成される。また、手前側平坦部６６１ａと手前側凹部６６１ｂとは、照明部６０の前後方向に交互に並んでいる。
【００３３】
また、図３に示すように、手前側凹部６６１ｂは、レンズ部材５５を向く反射面６６１ｒを有する。具体的には、反射面６６１ｒは、手前側Ｆを向くとともに右側Ｒを向いている。
手前側平坦部６６１ａは、光の入射角が、隣の手前側凹部６６１ｂにおける反射面６６１ｒに対する光の入射角よりも小さくなるように設けられている。
【００３４】
また、奥側反射部６６２は、前後方向に沿って平らに形成された複数の奥側平坦部６６２ａを有する。また、奥側反射部６６２は、直線Ｔに対してＶ字状に凹んで設けられた複数の奥側凹部６６２ｂを有する。
図２に示すように、奥側平坦部６６２ａおよび奥側凹部６６２ｂはともに、上下方向に延びて形成される。また、奥側平坦部６６２ａと奥側凹部６６２ｂとは、照明部６０の前後方向に交互に並んでいる。
【００３５】
また、図３に示すように、奥側凹部６６２ｂは、レンズ部材５５を向く反射面６６２ｒを有する。具体的には、反射面６６２ｒは、手前側Ｆを向くとともに右側Ｒを向いている。
奥側平坦部６６２ａは、光の入射角が、隣の奥側凹部６６２ｂにおける反射面６６２ｒに対する光の入射角よりも小さくなるように設けられている。
なお、手前側凹部６６１ｂおよび奥側凹部６６２ｂは、第１反射部の一例である。また、手前側平坦部６６１ａおよび奥側平坦部６６２ａは、第２反射部の一例である。さらに、手前側凹部６６１ｂおよび奥側凹部６６２ｂは、傾斜部の一例である。
【００３６】
特別反射部６６３は、レンズ部材５５よりも僅かに奥側Ｂに位置する。特別反射部６６３は、前後方向に沿って平らに形成された複数の特別平坦部６６３ａを有する。また、特別反射部６６３は、直線Ｔに対してＶ字状に凹んで設けられた複数の特別凹部６６３ｂを有する。
図２に示すように、特別平坦部６６３ａおよび特別凹部６６３ｂはともに、上下方向に延びて形成される。また、特別平坦部６６３ａと特別凹部６６３ｂとは、照明部６０の前後方向に交互に並んでいる。
【００３７】
また、図３に示すように、特別凹部６６３ｂは、レンズ部材５５を向く反射面６６３ｒを有する。具体的には、反射面６６３ｒは、手前側Ｆを向くとともに右側Ｒを向いている。
特別平坦部６６３ａは、光の入射角が、隣の特別凹部６６３ｂにおける反射面６６３ｒに対する光の入射角よりも小さくなるように設けられている。
【００３８】
また、手前側反射部６６１のうちの、隣り合う手前側凹部６６１ｂと手前側凹部６６１ｂとの間隔を長さＬ１とする。すなわち、手前側平坦部６６１ａの前後方向における長さを長さＬ１とする。
また、奥側反射部６６２のうちの、隣り合う奥側凹部６６２ｂと奥側凹部６６２ｂとの間隔を長さＬ２とする。すなわち、奥側平坦部６６２ａの前後方向における長さを長さＬ２とする。
さらに、特別反射部６６３のうちの、隣り合う特別凹部６６３ｂと特別凹部６６３ｂとの間隔を長さＬ３とする。すなわち、特別平坦部６６３ａの前後方向における長さを長さＬ３とする。
【００３９】
この場合に、長さＬ１と長さＬ２との間には、Ｌ１＞Ｌ２の関係が成立する。すなわち、手前側反射部６６１では、奥側反射部６６２に比べて、凹部が疎に形成されている。言い換えると、手前側反射部６６１では、奥側反射部６６２に比べて、平坦部が長く形成されている。
【００４０】
また、長さＬ１と長さＬ３との間には、Ｌ１＞Ｌ３の関係が成立する。すなわち、特別反射部６６３では、手前側反射部６６１に比べて、凹部が密に形成されている。言い換えると、特別反射部６６３では、手前側反射部６６１に比べて、平坦部が短く形成されている。
なお、本実施形態では、長さＬ２と長さＬ３とが同程度の長さである。ここで、長さＬ２＞長さＬ３の関係が成立してもよい。また、長さＬ２＜長さＬ３の関係が成立してもよい。
このように、短反射部６６は、前後方向における箇所によって、それぞれ形状が異なる。
【００４１】
そのため、手前側反射部６６１に向かって進行する光は、奥側反射部６６２に向かって進行する光に比べて、平坦部により反射されやすい。言い換えると、奥側反射部６６２に向かって進行する光は、手前側反射部６６１に向かって進行する光に比べて、凹部により反射されやすい。
また、特別反射部６６３に向かって進行する光は、手前側反射部６６１に向かって進行する光に比べて、凹部により反射されやすい。
【００４２】
また、手前側凹部６６１ｂの反射面６６１ｒと、奥側凹部６６２ｂの反射面６６２ｒと、特別凹部６６３ｂの反射面６６３ｒとは、直線Ｔに対する傾斜角が同程度である。
また、手前側平坦部６６１ａと、奥側平坦部６６２ａと、特別平坦部６６３ａとは、左右方向における位置が揃っている。
【００４３】
また、手前側凹部６６１ｂの反射面６６１ｒと、奥側凹部６６２ｂの反射面６６２ｒと、特別凹部６６３ｂの反射面６６３ｒとは、長さが同程度である。
また、手前側凹部６６１ｂの反射面６６１ｒと、奥側凹部６６２ｂの反射面６６２ｒと、特別凹部６６３ｂの反射面６６３ｒとは、左右方向における位置が揃っている。
【００４４】
手前側平坦部６６１ａ、奥側平坦部６６２ａ、および、特別平坦部６６３ａは、発光部６４から発せられた光を、さらに奥側Ｂへ向かって進むように反射する。
また、手前側凹部６６１ｂの反射面６６１ｒ、奥側凹部６６２ｂの反射面６６２ｒ、および、特別凹部６６３ｂの反射面６６３ｒは、発光部６４から発せられた光を、カバー部材６８へ向かって進むように反射する。
【００４５】
突出反射部６７は、前後方向における中央部よりも奥側Ｂに設けられている。また、突出反射部６７は、右側Ｒに向かって突出する突出部６７１を有する。突出部６７１は、照明部６０の前後方向に複数並んで設けられている。なお、一つの突出部６７１よりも奥側Ｂに設けられている突出部６７１は、下流側突出部の一例である。
突出部６７１は、レンズ部材５５を向く反射面６７１ｒを有する。反射面６７１ｒは、直線Ｔに対して傾斜している。また、反射面６７１ｒは、手前側Ｆを向くとともに右側Ｒを向いている。
【００４６】
また、突出反射部６７では、奥側Ｂへ向かうにしたがって突出部６７１が右側Ｒに長く形成されている。言い換えると、突出反射部６７では、奥側Ｂへ向かうにしたがって、突出部６７１が右側Ｒに向けてより突出している。さらに言い換えると、突出反射部６７では、奥側Ｂへ向かうにしたがって、反射面６７１ｒがより右側Ｒに位置する。また、最も奥側Ｂに設けられている突出部６７１における反射面６７１ｒは、カバー部材６８に到達している。
さらに、突出反射部６７では、奥側Ｂへ向かうにしたがって、手前側平坦部６６１ａに対する突出部６７１における反射面６７１ｒの傾斜角が大きくなる。
【００４７】
突出部６７１の反射面６７１ｒは、手前側平坦部６６１ａ、奥側平坦部６６２ａ、特別平坦部６６３ａにより反射された光を、カバー部材６８へ向けて反射する。また、反射面６７１ｒは、発光部６４から発せられ短反射部６６に反射されることなく奥側Ｂへ進む光を、カバー部材６８へ向けて反射する。
【００４８】
カバー部材６８は、筐体６９の開口を塞ぐように設けられている。そして、カバー部材６８は、発光部６４、基板５４、および、反射部材６５を、筐体６９の外部の雰囲気から遮断する。なお、筐体６９およびカバー部材６８により塞がれた空間には空気が入っている。
【００４９】
また、カバー部材６８は、発光部６４から発せられた光のうち可視光に対する透過性を有している。本実施形態では、カバー部材６８に対して入射角α未満の角度で光が入射する場合、カバー部材６８は、この光を透過せずに反射する。その一方で、カバー部材６８に対して入射角α以上の角度で光が入射する場合、カバー部材６８は、この光を透過する。
カバー部材６８の材料には、ＰＣ（ポリカーボネイト樹脂）、ＰＭＭＡ（ポリメタクリル酸メチル樹脂）などの樹脂を用いることができる。
【００５０】
本実施形態では、発光部６４からの光を反射部材６５が反射して配光制御することで、カバー部材６８のうちの手前側Ｆと奥側Ｂとにおいて照明部６０から出射される光量を均一にする。
【００５１】
具体的には、発光部６４からカバー部材６８へ直接向かう光については、カバー部材６８のうちの奥側Ｂにおいて出射される光よりも手前側Ｆにおいて出射される光の方が多くなる。
その一方で、反射部材６５は、発光部６４から反射部材６５へ向かう光を、奥側Ｂへ進行させてからカバー部材６８の外に出す。これにより、反射部材６５により反射された光については、カバー部材６８のうちの手前側Ｆにおいて出射される光よりも奥側Ｂにおいて出射される光の方が多くなる。そのため、カバー部材６８のうちの手前側Ｆと奥側Ｂとにおいて照明部６０から出射される光量の差が小さくなる。
【００５２】
続いて、照明部６０の手前側Ｆにおいて、反射部材６５により反射される光の進行について説明する。
図４は、特別反射部６６３および手前側反射部６６１により反射される光の進行について説明するための図である。
【００５３】
図４に示すように、発光部６４から発せられ光路ｂｍ１を通る光があるとする。光路ｂｍ１を通る光は、特別凹部６６３ｂに向かって進行する。そして、光路ｂｍ１を通る光は、特別凹部６６３ｂの反射面６６３ｒにより反射されると、カバー部材６８へ向かう。その後、この光は、カバー部材６８を通過して照明部６０の外部へ出射される。
【００５４】
また、発光部６４から発せられ光路ｂｍ２を通る光があるとする。光路ｂｍ２を通る光は、奥側Ｂへ進むとともに手前側平坦部６６１ａに向かって進行する。そして、この光は、手前側平坦部６６１ａにより反射されると、さらに奥側Ｂへ向かって進行する。
また、発光部６４から発せられ光路ｂｍ３を通る光があるとする。光路ｂｍ３を通る光は、手前側凹部６６１ｂの反射面６６１ｒにより反射されると、カバー部材６８へ向かって進行する。そして、この光は、カバー部材６８を通過して照明部６０の外部へ出射される。
【００５５】
図５は、照明部６０の内部全体において、反射部材６５により反射される光の進行について説明するための図である。
発光部６４から発せられ光路ｂｍ４を通る光があるとする。光路ｂｍ４を通る光は、奥側凹部６６２ｂの反射面６６２ｒにより反射されると、カバー部材６８へ向かって進行する。そして、この光は、カバー部材６８を通過して照明部６０の外部へ出射される。
【００５６】
また、発光部６４から発せられ光路ｂｍ５を通る光があるとする。光路ｂｍ５を通る光は、奥側Ｂへ進むとともに、奥側平坦部６６２ａへ向かって進行する。この光は、奥側平坦部６６２ａにより反射されると、さらに奥側Ｂへ向かうとともに突出反射部６７へ向かって進行する。
その後、光路ｂｍ５を通る光は、突出部６７１の反射面６７１ｒにより反射されると、カバー部材６８へ向かって進行する。そして、この光は、照明部６０の前後方向における中央部よりも奥側Ｂで、カバー部材６８を通過して照明部６０の外部へ出射される。
【００５７】
また、図４に示した光路ｂｍ２を通る光は、手前側平坦部６６１ａにより反射されると、図５に示すように、さらに奥側Ｂへ向かうとともに突出反射部６７へ向かって進行する。その後、光路ｂｍ２を通る光は、突出部６７１の反射面６７１ｒにより反射されると、カバー部材６８へ向かって進行する。そして、この光は、照明部６０の前後方向における中央部よりも奥側Ｂで、カバー部材６８を通過して照明部６０の外部へ出射される。
【００５８】
また、発光部６４から発せられ光路ｂｍ６を通る光があるとする。光路ｂｍ６を通る光は、奥側Ｂへ進みながら、カバー部材６８に入射する。ここで、カバー部材６８に対するこの光の入射角γは、αよりも小さい。そのため、この光は、カバー部材６８により反射されると、さらに奥側Ｂへ向かうとともに突出反射部６７へ向かって進行する。
その後、光路ｂｍ６を通る光は、突出部６７１の反射面６７１ｒにより反射されることによりカバー部材６８へ向かう。そして、この光は、カバー部材６８を通過して照明部６０の外部へ出射される。
【００５９】
このように、本実施形態では、特別凹部６６３ｂの反射面６６３ｒにより反射された光は、照明部６０の前後方向における手前側Ｆの端部で、カバー部材６８を通過する。また、図示していないが、照明部６０の前後方向における手前側Ｆの端部では、発光部６４から直接カバー部材６８へ向かう光がカバー部材６８を通過する。
【００６０】
その一方で、手前側平坦部６６１ａや奥側平坦部６６２ａにより反射された光は、照明部６０の前後方向における中央部よりも奥側Ｂで、カバー部材６８を通過する。
これにより、照明部６０の前後方向における中央部よりも手前側Ｆと奥側Ｂとで光が出射される。
【００６１】
特に、本実施形態では、奥側反射部６６２よりも手前側反射部６６１で、隣り合う凹部の間隔が長い。そのため、発光部６４から奥側反射部６６２へ向かう光よりも、発光部６４から手前側反射部６６１へ向かう光の方が、平坦部により反射されやすい。
【００６２】
つまり、照明部６０の前後方向において発光部６４に近い箇所では、反射部材６５により反射された光が奥側Ｂへ進行しやすい。また、照明部６０の前後方向において発光部６４から遠い箇所では、反射部材６５により反射された光がカバー部材６８へ向かって進行しやすい。
【００６３】
言い換えると、単位量の光が反射部材６５により反射されるとする。ここで、単位量とは、一つの手前側平坦部６６１ａの全領域および一つの手前側凹部６６１ｂの反射面６６１ｒの全領域により反射される光量であるとする。すると、手前側平坦部６６１ａおよび手前側凹部６６１ｂにより単位量の光が反射されるときに奥側Ｂに向かう光量は、奥側平坦部６６２ａおよび奥側凹部６６２ｂにより単位量の光が反射されるときに奥側Ｂへ向かう光量よりも大きい。
【００６４】
さらに言い換えると、手前側凹部６６１ｂの反射面６６１ｒの領域の大きさに対する手前側平坦部６６１ａの領域の大きさの割合は、奥側凹部６６２ｂの反射面６６２ｒの領域の大きさに対する奥側平坦部６６２ａの領域の大きさの割合よりも大きい。
【００６５】
これにより、照明部６０の前後方向における手前側Ｆの端部で光が集中的に出射されることが抑制され、照明部６０の前後方向における中央部よりも奥側Ｂで出射される光量が多くなる。
この結果、照明部６０のうちの発光素子から近い箇所と遠い箇所とにおいて照明部６０から出射される光量が均一になる。言い換えると、照明部６０の前後方向における中央部よりも手前側Ｆにより照らされる箇所と、奥側Ｂにより照らされる箇所とで、照度の差が小さくなる。この結果、照明部６０を用いた線状の発光が実現する。
【００６６】
また、本実施形態では、図３に示したように、光軸ａ１は、ＬＥＤパッケージ５３０の端面５３０Ａの垂直線５３０Ｌよりも左側Ｌに位置する。そのため、発光部６４から発せられ反射部材６５に向かう光が多くなる。その一方で、反射部材６５に向かうことなく発光部６４から直接カバー部材６８へ向かう光が少なくなる。
この結果、反射部材６５により配光が制御される光が多くなる。
【００６７】
また、本実施形態では、短反射部６６よりも奥側Ｂには突出部６７１が連続して設けられている。さらに、奥側Ｂへ向かうにしたがって、突出部６７１がカバー部材６８へ向かってより突出している。
そのため、光は、奥側Ｂへ向かうにしたがって、突出部６７１の反射面６７１ｒに反射されやすくなる。これにより、照明部６０における奥側Ｂの端部へ向かう光が、この奥側Ｂの端部で照明部６０から出射されないことが抑制される。
【００６８】
また、本実施形態では、手前側反射部６６１よりも手前側Ｆには、特別反射部６６３が設けられている。そして、手前側反射部６６１よりも特別反射部６６３で、隣り合う凹部の間隔が短くなっている。そのため、発光部６４から手前側反射部６６１へ向かう光よりも、発光部６４から特別反射部６６３へ向かう光の方が、凹部の反射面により反射されやすい。
これにより、照明部６０の前後方向における中央部よりも奥側Ｂと手前側Ｆの端部とにおいて照明部６０から出射される光量が均一になる。
【００６９】
本実施形態では、上述したように、光軸ａ１がＬＥＤパッケージ５３０の端面５３０Ａの垂直線よりも左側Ｌに位置する。そのため、反射部材６５に向かうことなく発光部６４から直接カバー部材６８へ向かう光が少なくなる。この場合、照明部６０の前後方向における中央部よりも奥側Ｂにおいて出射される光量に比べて、手前側Ｆの端部において出射される光量が小さくなることがある。
【００７０】
これに対し、本実施形態では、照明部６０の前後方向における手前側Ｆの端部で発光部６４から反射部材６５に向かう光を、特別凹部６６３ｂの反射面６６３ｒにより反射する。そして、反射された光は、照明部６０の前後方向における手前側Ｆの端部で出射される。
これにより、照明部６０の前後方向における中央部よりも奥側Ｂと手前側Ｆの端部とにおいて照明部６０から出射される光量が均一になる。またその結果、照明部６０の前後方向における中央部よりも奥側Ｂにより照らされる箇所の照度に比べて、手前側Ｆの端部により照らされる箇所の照度が小さくなることが抑制される。
【００７１】
なお、本実施形態では、奥側反射部６６２は、奥側平坦部６６２ａと奥側凹部６６２ｂとを有する構成とした。ここで奥側反射部６６２には、奥側平坦部６６２ａが設けられなくてもよい。この場合、奥側反射部６６２には、奥側凹部６６２ｂが前後方向に連続して設けられる。
【００７２】
続いて、照明部６０の配光について説明する。
図６は、照明部６０の配光について説明するための図である。図６には、反射部材６５を有しない場合の照明部６０の配光Ｖａと、本実施形態において反射部材６５を有する照明部６０の配光Ｖｂとを示した。
【００７３】
反射部材６５を有しない照明部６０によると、配光Ｖａは、一方向に偏ることなく均一になる。この場合、照明部６０の前後方向における中央部よりも奥側Ｂにおいて出射される光量が少なくなる。その結果、照明部６０の前後方向における中央部よりも奥側Ｂにより照らされる箇所が暗くなりやすい。
【００７４】
これに対し、本実施形態の照明部６０によると、配光Ｖｂは、配光Ｖａに比べて奥側Ｂに偏っている。すなわち、この照明部６０の配光Ｖｂは、反射部材６５を有しない照明部６０の配光Ｖａに比べて、より奥側Ｂにピークを有する。この場合、照明部６０における奥側Ｂの端部で出射される光量が多くなる。その結果、照明部６０における奥側Ｂの端部により照らされる箇所が明るくなりやすい。
【００７５】
続いて、変形例１として、凹部の替わりに凸部が設けられている短反射部６６について説明する。
図７は、変形例１としての短反射部６６の構成例を示した図である。
図７に示す手前側反射部６６１は、手前側平坦部６６１ａと、直線Ｔから右側Ｒへ突出する複数の手前側凸部６６１ｃとを有する。手前側平坦部６６１ａと手前側凸部６６１ｃとは、照明部６０の前後方向に交互に並んでいる。
【００７６】
また、手前側凸部６６１ｃは、レンズ部材５５を向く反射面６６１ｓを有する。反射面６６１ｓは、直線Ｔに対して傾斜する傾斜面である。具体的には、反射面６６１ｓは、手前側Ｆを向くとともに右側Ｒを向いている。
手前側凸部６６１ｃの反射面６６１ｓは、光の入射角が、隣の手前側平坦部６６１ａに対する光の入射角よりも大きくなるように設けられている。
【００７７】
奥側反射部６６２は、奥側平坦部６６２ａと、直線Ｔから右側Ｒへ突出する複数の奥側凸部６６２ｃとを有する。奥側平坦部６６２ａと奥側凸部６６２ｃとは、照明部６０の前後方向に交互に並んでいる。
また、奥側凸部６６２ｃは、レンズ部材５５を向く反射面６６２ｓを有する。反射面６６２ｓは、直線Ｔに対して傾斜する傾斜面である。具体的には、反射面６６２ｓは、手前側Ｆを向くとともに右側Ｒを向いている。
奥側凸部６６２ｃの反射面６６２ｓは、光の入射角が、隣の奥側平坦部６６２ａに対する光の入射角よりも大きくなるように設けられている。
【００７８】
特別反射部６６３は、特別平坦部６６３ａと、直線Ｔから右側Ｒへ突出する特別凸部６６３ｃとを有する。特別凸部６６３ｃは、特別平坦部６６３ａの手前側Ｆに設けられている。
また、特別凸部６６３ｃは、レンズ部材５５を向く反射面６６３ｓを有する。反射面６６３ｓは、直線Ｔに対して傾斜する傾斜面である。具体的には、反射面６６３ｓは、手前側Ｆを向くとともに右側Ｒを向いている。
特別凸部６６３ｃの反射面６６３ｓは、光の入射角が、特別平坦部６６３ａに対する光の入射角よりも大きくなるように設けられている。
【００７９】
また、手前側平坦部６６１ａと、奥側平坦部６６２ａと、特別平坦部６６３ａとの前後方向における長さは、それぞれ同程度である。
その一方で、手前側凸部６６１ｃの反射面６６１ｓが奥側Ｂへ延びる長さを、長さＬ４とする。また、奥側凸部６６２ｃの反射面６６２ｓが奥側Ｂへ延びる長さと、特別凸部６６３ｃの反射面６６３ｓが奥側Ｂへ延びる長さとを、ともに長さＬ５とする。この場合に、長さＬ４と長さＬ５との間には、Ｌ４＜Ｌ５の関係が成立する。
【００８０】
なお、特別凸部６６３ｃの反射面６６３ｓの長さは、奥側凸部６６２ｃの反射面６６２ｓの長さよりも長く設けられていても良い。また、特別凸部６６３ｃの反射面６６３ｓの長さは、奥側凸部６６２ｃの反射面６６２ｓの長さよりも短く設けられていてもよい。
また、手前側凸部６６１ｃの反射面６６１ｓと、奥側凸部６６２ｃの反射面６６２ｓと、特別凸部６６３ｃの反射面６６３ｓとは、直線Ｔに対する傾斜角が同程度である。
【００８１】
発光部６４から発せられた光は、特別凸部６６３ｃの反射面６６３ｓ、手前側凸部６６１ｃの反射面６６１ｓ、奥側凸部６６２ｃの反射面６６１ｓにより反射されるとカバー部材６８へ向かう。このように、短反射部６６において、凹部の替わりに凸部が設けられていてもよい。手前側凸部６６１ｃおよび奥側凸部６６２ｃは、第１反射部の一例である。
【００８２】
また、変形例１では、上述したように、奥側凸部６６２ｃの反射面６６３ｓの長さＬ５よりも、手前側凸部６６１ｃの反射面６６３ｓの長さＬ４の方が短い。このような構成であっても、発光部６４から奥側反射部６６２へ向かう光よりも、発光部６４から手前側反射部６６１へ向かう光の方が、平坦部により反射されやすくなる。
【００８３】
言い換えると、手前側平坦部６６１ａおよび手前側凸部６６１ｃにより単位量の光が反射されるときに奥側Ｂに向かう光量は、奥側平坦部６６２ａおよび奥側凸部６６２ｃにより単位量の光が反射されるときに奥側Ｂへ向かう光量よりも大きい。
さらに言い換えると、手前側凸部６６１ｃの反射面６６１ｓの領域の大きさに対する手前側平坦部６６１ａの領域の大きさの割合は、奥側凸部６６２ｃの反射面６６２ｓの領域の大きさに対する奥側平坦部６６２ａの領域の大きさの割合よりも大きい。
【００８４】
また、手前側凸部６６１ｃの反射面６６１ｓの長さＬ４よりも、特別凸部６６３ｃの反射面６６３ｓの長さＬ５の方が長い。このような構成であっても、発光部６４から手前側反射部６６１へ向かう光よりも、発光部６４から特別反射部６６３へ向かう光の方が、凸部の反射面により反射されやすい。
【００８５】
このように、照明部６０の手前側Ｆと奥側Ｂとで、平坦部の長さを変えることなく凸部の反射面の領域の大きさを変えてもよい。
また、照明部６０の手前側Ｆと奥側Ｂとで平坦部の長さを変えることと、手前側Ｆと奥側Ｂとで、凸部または凹部の領域の大きさを変えることとを組み合わせてもよい。
【００８６】
例えば、特別反射部６６３には、特別平坦部６６３ａと特別凸部６６３ｃとが設けられているとする。また、手前側反射部６６１には、手前側平坦部６６１ａと手前側凹部６６１ｂとが設けられているとする。さらに、奥側反射部６６２には、奥側平坦部６６２ａと奥側凹部６６２ｂとが設けられているとする。
この場合に、特別平坦部６６３ａの長さと手前側平坦部６６１ａの長さとを同程度としてもよい。そして、特別凸部６６３ｃの反射面６６３ｓの長さを、手前側凹部６６１ｂの反射面６６１ｒの長さよりも長くしてもよい。また、手前側平坦部６６１ａの長さを、奥側平坦部６６２ａの長さよりも長くしてもよい。
【００８７】
なお、図７に示した照明部６０においては、手前側平坦部６６１ａのうち、光が入射しない領域６６１ｄがある。発光部６４から発せられ領域６６１ｄに向かって進行する光は、その手前側Ｆに設けられている手前側凹部６６１ｂにより反射されるために、この領域６６１ｄが生じる。図示しないが、同様の理由により、奥側平坦部６６２ａにも、光が入射しない領域が生じる。
【００８８】
そのため、凹部を有する短反射部６６と凸部を有する短反射部６６とを比較すると、平坦部が同じ長さである場合、凹部を有する短反射部６６の方が、発光部６４から発せられた光が平坦部に入射しやすくなる。したがって、凹部を有する短反射部６６の方が、平坦部による配光の制御の自由度が向上する。
【００８９】
なお、本実施形態では、反射部材６５のうちの平坦部により光が反射される場合と、凹部または凸部により光が反射される場合とで、反射される光の方向を異ならせている。
ここで、例えば、平坦部の一部に対して、ブラストやインク材の塗布等の加工を施してもよい。そして、平坦部のうちの加工が施された箇所により光が反射される場合と、加工が施されていない箇所により光が反射される場合とで、反射される光量を異ならせることとしてもよい。
【００９０】
次に、変形例２として、照明部６０を同じ向きに二つ並べた構成例について説明する。
図８は、変形例２として照明部６０を同じ向きに二つ並べた構成例を示した図である。
変形例２では、二つの照明部６０が同じ向きであって且つ前後方向において直線状に並んで設けられている。二つの照明部６０は、何れも、発光部６４が手前側Ｆに配置されるように設けられている。
このように二つの照明部６０を並べることにより、より長い線状の発光が実現する。
【００９１】
次に、変形例３として、照明部６０を逆向きに二つ並べた構成例について説明する。
図９は、変形例３として二つの照明部６０が対向するように並べた構成例を示した図である。
変形例３では、二つの照明部６０が前後方向に対向するように直線状に並んで設けられている。また、二つの照明部６０が並んだ場合に互いの発光部６４が前後方向における両端部に位置するように、二つの照明部６０が設けられている。
このように二つの照明部６０が設けられても、より長い線状の発光が実現する。
【００９２】
次に、変形例４として、複数の照明部６０による面状の発光を実現するための構成例について説明する。
図１０は、変形例４としての複数の照明部６０を並べた構成例を示した図である。
変形例４では、二つの照明部６０が並んで設けられている。この二つの照明部６０の並びは、図９に示した二つの照明部６０の並びと同様である。
また、このように並んだ二つの照明部６０は、上下方向に複数設けられる。このとき、各々の照明部６０のカバー部材６８は、紙面手前側に位置する。
これにより、複数の照明部６０による面状の発光が実現する。
【００９３】
なお、本実施形態では、ＬＥＤパッケージ５３０からの光の配光を制御するために、照明部６０にレンズ部材５５が設けられている。ここで、レンズ部材５５の替わりに、ＬＥＤパッケージ５３０からの光を反射する反射部（不図示）が設けられてもよい。そして、反射部が、ＬＥＤパッケージ５３０からの光の配光を制御し、反射部材６５へ向けて光を進行させることとしてもよい。
【００９４】
また、ＬＥＤパッケージ５３０の位置を調整することにより、光軸ａ１の方向を調整してもよい。具体的には、ＬＥＤパッケージ５３０の端面５３０Ａが奥側Ｂを向くとともに僅かに左側Ｌを向くようにＬＥＤパッケージ５３０の位置を調整する。これにより、発光部６４から発される光の光軸ａ１が垂直線５３０Ｌに対して左側Ｌに位置するように配光を制御してもよい。
【００９５】
＜実施形態２＞
次に、実施形態２が適用される照明部について説明する。なお、実施形態２において、実施形態１と同様な構成については、同一の符号を付してその詳細な説明を省略する。
図１１は、冷蔵庫１において実施形態２の照明部が配置される例について説明するための図である。
【００９６】
図１１に示す冷蔵庫１は、左側面部２Ｌにおける下側Ｄに設けられる左下側照明部７０を有する。また、冷蔵庫１は、左側面部２Ｌにおける手前側Ｆに設けられる左手前側照明部７１と、左側面部２Ｌにおける奥側Ｂに設けられる左奥側照明部７２とを有する。また、冷蔵庫１は、上面部２Ｕにおける手前側Ｆに設けられる上側第１照明部７３と、上面部２Ｕにおける奥側Ｂに設けられる上側第２照明部７４とを有する。
【００９７】
さらに、冷蔵庫１は、背面部２Ｂにおける上側Ｕに設けられる奥側第１照明部７５を有する。また、冷蔵庫１は、背面部２Ｂにおいて奥側第１照明部７５よりも下側Ｄに設けられる奥側第２照明部７６を有する。また、冷蔵庫１は、背面部２Ｂにおいて奥側第２照明部７６よりもさらに下側Ｄに設けられる奥側第３照明部７７を有する。
またさらに、冷蔵庫１は、右側面部２Ｒにおける下側Ｄに設けられる右下側照明部７８を有する。また、冷蔵庫１は、右側面部２Ｒにおける奥側Ｂに設けられる右奥側照明部７９と、右側面部２Ｒにおける手前側Ｆに設けられる右手前側照明部８０とを有する。
【００９８】
図１２は、実施形態２の照明部の全体構成図である。具体的には、図１２には、図１１の右下側照明部７８（以下、照明部７８と称する）の構成を図中矢印XII方向から眺めた場合の状態を示している。また、図１３は、図１２の照明部７８の構成を図中矢印XIII方向から眺めた場合の状態を示した図である。
【００９９】
実施形態２の照明部７８には、二つの反射部材が対向して設けられている。以下、照明部７８について詳しく説明する。
図１２に示すように、照明装置の一例としての照明部７８は、発光部６４と、基板５４と、第１反射部材の一例としての下方反射部材６５とを有する。
【０１００】
また、照明部７８は、下方反射部材６５の上側Ｕに設けられる第３反射部の一例としての上方反射部材６３を有する。また、照明部７８は、発光部６４、基板５４、下方反射部材６５、および、上方反射部材６３を収容する筐体６９を有する。上方反射部材６３は、前後方向に延びて設けられている。また、上方反射部材６３は、第２反射部材の一例である。
【０１０１】
また、図１３に示すように、照明部７８は、通過部の一例としてのカバー部材６８を有する。カバー部材６８は、筐体６９の左右方向における左側Ｌの側面部に位置する開口を塞ぐように設けられている。
照明部７８は、前後方向に延びる長尺状に形成される。
【０１０２】
上方反射部材６３は、下方反射部材６５に対向するとともにカバー部材６８を向くように下方反射部材６５に対して傾斜している。そして、上方反射部材６３は、発光部６４から発せられた光や、下方反射部材６５により反射された光を、カバー部材６８へ向けて反射する。
【０１０３】
続いて、照明部７８において発光部６４から発せられた光の進行について説明する。
図１４は、発光部６４から発せられた光の進行について説明するための図である。
発光部６４から発せられ光路ｂｍ７を通る光があるとする。光路ｂｍ７を通る光は、照明部７８の前後方向における手前側Ｆの端部で、奥側Ｂへ向かうとともに上方反射部材６３へ向かって進行する（図１３参照）。光路ｂｍ７を通る光は、上方反射部材６３により反射されると、カバー部材６８へ向かって進行する。また、上方反射部材６３に反射されたこの光は、カバー部材６８に到達するまでの間、さらに奥側Ｂに進行する（図１４参照）。そして、この光は、図１３に示すように、カバー部材６８を通過して照明部７８の外部へ出射される。
【０１０４】
また、図１４に示すように、発光部６４から発せられ光路ｂｍ８を通る光があるとする。光路ｂｍ８を通る光は、奥側Ｂへ進むとともに、下方反射部材６５へ向かって進行する。この光は、手前側凹部６６１ｂの反射面６６１ｒにより反射されると、上方反射部材６３へ向かう。そして、この光は、上方反射部材６３により反射されるとカバー部材６８へ向かい、カバー部材６８を通過して照明部７８の外部へ出射される。
【０１０５】
また、発光部６４から発せられ光路ｂｍ９を通る光があるとする。光路ｂｍ９を通る光は、奥側Ｂへ進むとともに、下方反射部材６５へ向かって進行する。この光は、奥側凹部６６２ｂの反射面６６２ｒにより反射されると、上方反射部材６３へ向かう。そして、この光は、上方反射部材６３により反射されるとカバー部材６８へ向かい、カバー部材６８を通過して照明部７８の外部へ出射される。
【０１０６】
また、発光部６４から発せられ光路ｂｍ１０を通る光があるとする。光路ｂｍ１０を通る光は、奥側へ進むとともに、突出反射部６７へ向かって進行する。この光は、突出部６７１の反射面６７１ｒにより反射されると、上方反射部材６３へ向かう。そして、この光は、上方反射部材６３により反射されるとカバー部材６８へ向かい、カバー部材６８を通過して照明部７８の外部へ出射される。
【０１０７】
本実施形態では、下方反射部材６５および上方反射部材６３の両方で光を反射すると、上方反射部材６３のみで光を反射する場合よりも奥側Ｂで光が出射されやすい。言い換えると、上方反射部材６３単体で光を反射すると、下方反射部材６５および上方反射部材６３の両方で光を反射する場合よりも手前側Ｆで光が出射されやすい。
【０１０８】
このように、下方反射部材６５および上方反射部材６３の両方による配光制御の特性と、下方反射部材６５単体による配光制御の特性とは異なる。この二つの配光制御の特性を組み合わせることによっても、図６に示したように、奥側Ｂに偏った配光となるように照明部７８が配光制御できる。また、この構成により、照明部７８のうちの発光部６４から近い箇所と遠い箇所とにおいて照明部７８から出射される光量が均一になる。これにより、照明部７８を用いた線状の発光が実現する。
【０１０９】
特に、本実施形態のように、下方反射部材６５および上方反射部材６３を有する照明部７８により配光を制御する構成によると、レンズ部材５５を小型化することが可能となる。またその結果、照明部７８の厚さ（図１３における左右方向の厚さ）を薄く設けられる。
一般的に、レンズ部材５５の外径が小さくなると、レンズ部材５５を通過した光は、照明部７８の前後方向における手前側Ｆの端部で、上下方向へ進行しやすい（図１４参照）。そのため、照明部７８における奥側Ｂの端部よりも手前側Ｆの端部で光が出射しやすい。この場合、照明部７８の手前側Ｆの端部により照らされる箇所に比べて、照明部７８の奥側Ｂの端部により照らされる箇所が暗くなりやすい。
【０１１０】
これに対し、本実施形態のように上方反射部材６３が設けられる構成であると、光が上方反射部材６３に反射されカバー部材６８に向かうときに、光はさらに奥側Ｂへ進行している。そのため、レンズ部材５５を小型化しても、レンズ部材５５を通過した光をより奥側Ｂで出射させることが可能となる。
この結果、照明部７８から光を均一に出射させつつ、レンズ部材５５を小型化して照明部７８の左右方向における厚さを薄くできる。
【０１１１】
なお、本実施形態では、下方反射部材６５と上方反射部材６３との位置関係を反対にしてもよい。すなわち、図１２に示した下方反射部材６５が設けられている箇所に上方反射部材６３が設けられてもよい。そして、図１２に示した上方反射部材６３が設けられている箇所に下方反射部材６５が設けられてもよい。
【０１１２】
このような構成であっても、照明部６０の手前側Ｆの端部において出射される光量と、照明部６０の奥側Ｂの端部において出射される光量とが均一になる。その結果、照明部７８の手前側Ｆの端部により照らされる箇所と、照明部７８の奥側Ｂの端部により照らされる箇所とで、照度の差を小さくできる。
また、レンズ部材５５を小型化して照明部７８の左右方向における厚さを薄くできる。
【０１１３】
また、本実施形態でも、実施形態１と同様に、レンズ部材５５の替わりに、光を反射する反射部（不図示）が設けられてもよい。
また、本実施形態でも、図８に示した実施形態１における照明部６０と同様に、照明部７８を同じ向きに二つ並べてもよい。
また、本実施形態でも、図９に示した実施形態１における照明部６０と同様に、照明部７８を逆向きに二つ並べてもよい。
また、本実施形態でも、図１０に示した実施形態１における照明部６０と同様に、面状発光を実現するために複数の照明部７８を並べてもよい。
【０１１４】
＜実施形態３＞
次に、実施形態３が適用される照明部について説明する。なお、実施形態３において、実施形態１と同様な構成については、同一の符号を付してその詳細な説明を省略する。
図１５は、実施形態３の照明部の全体構成図である。具体的には、図１５には、図１１の右手前側照明部８０（以下、照明部８０と称する）の構成を図中矢印XV方向から眺めた場合の状態を示している。また、図１６は、図１５に示した上下方向の上側Ｕから照明部８０を眺めた場合であって図中矢印XVI方向から照明部８０を眺めた場合の状態を示した図である。また、図１７は、図１６に示した発光部８１を図中矢印XVII方向から眺めた状態を示した図であって、発光部８１の断面図を示した図である。
【０１１５】
実施形態３の照明部８０では、ＬＥＤパッケージから発せられた光の一部は、レンズ部材により偏向される。その一方で、ＬＥＤパッケージから発せられた光の他の一部は、レンズ部材により偏向されずにレンズ部材を通過する。以下、照明部８０について詳しく説明する。
【０１１６】
図１５に示すように、照明装置の一例としての照明部８０は、発光する発光部８１と、発光部８１が実装される基板８３と、発光部８１からの光を反射する反射部材８５とを有する。また、照明部８０は、発光部８１、基板８３、および、反射部材８５を収容する筐体８７を有する。照明部８０は、上下方向に延びる長尺状に形成される。
また、図１６に示すように、照明部８０は、反射部材８５により反射された光を通過させるカバー部材８６を有する。カバー部材８６は、筐体８７の左右方向における左側Ｌの側面部に位置する開口を塞ぐように設けられている。
【０１１７】
図１５に示すように、発光部８１は、上下方向において、予め定められた間隔で複数並んで設けられている。
また、図１６に示すように、発光部８１は、発光するＬＥＤパッケージ８２を有する。また、発光部８１は、ＬＥＤパッケージ８２を覆うように設けられている光学部材の一例としてのレンズ部材８４を有する。
【０１１８】
ＬＥＤパッケージ８２は、内部に、ＬＥＤチップ８２１（発光素子の一例）を収容してパッケージ化された光源である。ＬＥＤパッケージ８２には、ＬＥＤチップ８２１に電気的に接続するリードフレーム（不図示）が設けられている。そして、このリードフレームを介して、ＬＥＤチップ８２１と基板８３とが電気的に接続される。また、ＬＥＤパッケージ８２の内部には、透明な封止樹脂が充填され、ＬＥＤチップ８２１が封止された状態になっている。
【０１１９】
レンズ部材８４は、半円筒状に設けられている。また、レンズ部材８４は、曲面が、手前側Ｆを向いている。また、ＬＥＤパッケージ８２とレンズ部材８４との間には、空間部８４３が設けられている。
レンズ部材８４には、透過部の一例としてのフレネルレンズ８４２が設けられている。フレネルレンズ８４２は、ＬＥＤパッケージ８２から空間部８４３を経て入射した光を透過する。また、レンズ部材８４は、基板８３に固定される。
【０１２０】
図１７に示すように、本実施形態のフレネルレンズ８４２には、光が出射される出射面が複数設けられている。具体的には、フレネルレンズ８４２には、上側Ｕから順に、第１出射面８４２ａ、第２出射面８４２ｂ、第３出射面８４２ｃ、第４出射面８４２ｄが設けられている。
【０１２１】
第１出射面８４２ａ、第２出射面８４２ｂ、第３出射面８４２ｃ、および、第４出射面８４２ｄ（以下、これらを特に区別しない場合には「出射面」と総称する）は、何れも、ＬＥＤパッケージ８２の端面８２Ａに対して傾斜している。具体的には、出射面は、何れも手前側Ｆを向くとともに下側Ｄを向いている。
また、ＬＥＤパッケージ８２の端面８２Ａに対する出射面の傾斜角は、下側Ｄに設けられているものほど大きくなる。
【０１２２】
なお、光の進行方向を一方向に偏向させるものであれば、フレネルレンズ８４２以外に他の部材を用いてもよい。また、レンズ部材８４の材料には、ＰＣ（ポリカーボネイト樹脂）、ＰＭＭＡ（ポリメタクリル酸メチル樹脂）などの樹脂を用いることができる。
【０１２３】
また、本実施形態のレンズ部材８４には、上下方向における両端部に進行部の一例としての開口部８４１が設けられている。具体的には、レンズ部材８４の上側Ｕにおける端部には、上側開口部８４１Ｕが設けられている。また、レンズ部材８４の下側Ｄにおける端部には、下側開口部８４１Ｄが設けられている。
【０１２４】
そして、本実施形態のレンズ部材８４は、ＬＥＤパッケージ８２から発せられた光の一部を偏向させる。具体的には、フレネルレンズ８４２は、光軸ａ２に近い光路を通る光を偏向させる。例えば、光路ｂｍ１１、光路ｂｍ１２、および、光路ｂｍ１３を通る光を、手前側Ｆへ進むとともに上側Ｕへ進行するように、フレネルレンズ８４２は配光を制御する。
【０１２５】
その一方で、ＬＥＤパッケージ８２から発せられ、光軸ａ２から離れる光路を通る光は、フレネルレンズ８４２を透過することなく、レンズ部材８４の開口部８４１を通過する。具体的には、光路ｂｍ１４を通る光は、上側開口部８４１Ｕを通過する。また、光路ｂｍ１５を通る光は、下側開口部８４１Ｄを通過する。そのため、この開口部８４１を通過する光については、レンズ部材８４によっては配光が制御されない。
【０１２６】
図１５に示すように、反射部材８５は、発光部８０の手前側Ｆに設けられるとともに、照明部８０の上下方向に延びて設けられている。また、図１６に示すように、反射部材８５は、発光部８０に対向するとともにカバー部材８６が設けられている側を向くように設けられている。反射部材８５の材料には、ＰＣ（ポリカーボネイト樹脂）、ＰＭＭＡ（ポリメタクリル酸メチル樹脂）などの樹脂を用いることができる。
【０１２７】
カバー部材８６は、反射部材８５により反射された光や、ＬＥＤパッケージ８２から発せられた光を透過する。
カバー部材８６の材料には、ＰＣ（ポリカーボネイト樹脂）、ＰＭＭＡ（ポリメタクリル酸メチル樹脂）などの樹脂を用いることができる。
なお、筐体８７およびカバー部材８６により塞がれた空間には空気が入っている。
【０１２８】
続いて、発光部８０から発せられた光の進行について説明する。
図１８（ａ）は、発光部８０から発せられた光の進行について説明するための図である。また、図１８（ｂ）は、図１８（ａ）に示した照明部８０を図中矢印XVIIIb方向から眺めた場合の状態を示した図である。
【０１２９】
図１８（ａ）に示すように、ＬＥＤパッケージ８２から発せられた光であって、光路ｂｍ１１、光路ｂｍ１２、光路ｂｍ１３を通るぞれぞれの光があるとする。光路ｂｍ１１、光路ｂｍ１２、光路ｂｍ１３を通るそれぞれの光は、フレネルレンズ８４２により偏向され、上側Ｕへ向かうとともに、図１８（ｂ）に示すように反射部材８５へ向かって進行する。これらの光は、反射部材８５により反射されると、カバー部材８６へ向かう。そして、これらの光は、カバー部材８６を通過して照明部８０の外部へ出射される。
【０１３０】
また、図１８（ａ）に示すように、ＬＥＤパッケージ８２から発せられ光路ｂｍ１４を通る光があるとする。光路ｂｍ１４を通る光は、レンズ部材８４の上側開口部８４１Ｕを通過することにより、フレネルレンズ８４２により偏向されない。また、光路ｂｍ１４を通る光は、上側Ｕへ向かうとともに、図１８（ｂ）に示すように反射部材８５へ向かって進行する。この光は、反射部材８５により反射されると、カバー部材８６へ向かい、カバー部材８６を通過して照明部８０の外部へ出射される。
【０１３１】
また、図１８（ａ）に示すように、ＬＥＤパッケージ８２から発せられ光路ｂｍ１５を通る光があるとする。光路ｂｍ１５を通る光は、レンズ部材８４の下側開口部８４１Ｄを通過することにより、フレネルレンズ８４２により偏向されない。また、光路ｂｍ１５を通る光は、下側Ｄへ向かうとともに、図１８（ｂ）に示すように反射部材８５へ向かって進行する。この光は、反射部材８５により反射されると、カバー部材８６へ向かい、カバー部材８６を通過して照明部８０の外部へ出射される。
【０１３２】
このように、本実施形態では、複数の照明部８０において、レンズ部材８４は、光軸ａ２に近い光路を通る光を一方向へ偏向させる（図１７参照）。これにより、照明部８０の上側Ｕの端部でも光が出射されるような配光となる。
【０１３３】
また、本実施形態では、ＬＥＤパッケージ８２から発せられた光であって、レンズ部材８４の開口部８４１を通過する光は、フレネルレンズ８４２を透過することなくレンズ部材８４を通過する。これにより、レンズ部材８４を通過する光の損失が低減する。
【０１３４】
一般的に、ＬＥＤパッケージ８２から発せられフレネルレンズ８４２に入射する光の一部は、透過することなく反射される。この場合、反射された光は、照明部８０の外部へ出射されることなく損失される。
これに対し、本実施形態の構成によると、開口部８４１を通過する光は、フレネルレンズ８４２により損失されることなくレンズ部材８４を通過する。
【０１３５】
また、開口部８４１を通過する光は、フレネルレンズ８４２により偏向されない。そのため、この光は、フレネルレンズ８４２により一方向へ偏向された光とは分散して照明部８０の外部へ出射される。その結果、ＬＥＤパッケージ８２から発せられた光の全てがフレネルレンズ８４２により偏向される構成に比べて、照明部８０の一方向において局所的に光が出射されることが抑制される。
【０１３６】
また、本実施形態でも、図８に示した実施形態１における照明部６０と同様に、照明部８０を同じ向きに二つ並べてもよい。
また、本実施形態でも、図９に示した実施形態１における照明部６０と同様に、照明部８０を逆向きに二つ並べてもよい。
また、本実施形態でも、図１０に示した実施形態１における照明部６０と同様に、面状発光を実現するために複数の照明部８０を並べてもよい。
【０１３７】
＜実施形態４＞
次に、実施形態４が適用される照明部について説明する。なお、実施形態４において、実施形態１と同様な構成については、同一の符号を付してその詳細な説明を省略する。
図１９は、実施形態４の照明部の構成部品の斜視図である。また、図２０は、実施形態４の照明部の全体構成図である。具体的には、図２０には、図１１の右奥側照明部７９（以下、照明部７９と称する）の構成を図中矢印XX方向から眺めた場合の状態を示している。
【０１３８】
実施形態４の照明部７９においては、内部の光を通過させる窓が光の進行方向に複数並んで設けられている。そして、発光部から発せられた光は、光路上に設けられた反射部材により反射されると、窓を通過して外部へ出射される。
また、反射部材には開口部が設けられており、開口部を通過する光は、反射部材により反射されることなく進行方向の下流側へ向かい、さらに下流側に設けられた窓から出射される。以下、照明部７９について詳しく説明する。
【０１３９】
図１９に示すように、照明装置の一例としての照明部７９は、発光部６４と、基板５４とを有する。また、照明部７９は、発光部６４から発せられた光を反射する反射部材８８を有する。また、照明部７９は、発光部６４、基板５４、および、反射部材８８を収容する収容部の一例としての筐体８９とを有する。筐体８９は、左右方向における左側Ｌの側面が開口している。
さらに、図２０に示すように、照明部７９は、反射部材８８により反射された光を通過させる通過部材９０を有する。通過部材９０は、筐体８９の左側Ｌの側面における開口を塞ぐように設けられている。
【０１４０】
筐体８９は、発光部６４から発せられた光を反射する。
反射部材８８は、上下方向に複数並んで設けられている。また、反射部材８８は、発光部６４から発せられた光が通る光路上に設けられている。また、反射部材８８は、三角柱状に形成されるとともに、頂部が、通過部材９０に取り付けられている。
本実施形態では、下側Ｄから順に、反射部材の一例としての下部反射部材８８１、下流側反射部材の一例としての中央部反射部材８８２、上部反射部材８８３が設けられている。
【０１４１】
また、反射部材８８は、通過部材９０に取り付けられた頂部から右側Ｒに形成された反射面８８ｒを有する。反射面８８ｒは、発光部６４から発せられた光を通過部材９０へ向けて反射する。具体的には、下部反射部材８８１は、下部反射面８８１ｒを有する。また、中央部反射部材８８２は、中央部反射面８８２ｒを有する。また、上部反射部材８８３は、上部反射面８８３ｒを有する。
また、下部反射面８８１ｒ、中央部反射面８８２ｒ、および、上部反射面８８３ｒは、何れも、下側Ｄを向くとともに、左側Ｌを向いている。
【０１４２】
また、反射部材８８の反射面８８ｒには、図１９に示すように、凹形状を有する複数の溝部８８ｄが設けられている。発光部６４から発せられた光は、溝部８８ｄのうちの入射する位置により、反射される方向が変わることとなる。
具体的には、下部反射部材８８１の下部反射面８８１ｒには、複数の溝部８８１ｄが設けられている。また、中央部反射部材８８２の中央部反射面８８２ｒには、複数の溝部８８２ｄが設けられている。また、上部反射部材８８３の上部反射面８８３ｒには、複数の溝部８８３ｄが設けられている。
反射部材８８の溝部８８ｄは、何れも、前後方向に延びて形成されている。
【０１４３】
また、図２０に示すように、反射部材８８には、左右方向における右側Ｒの端部に開口部８８ａが設けられている。言い換えると、反射部材８８には、左右方向において通過部材９０が設けられている側とは反対側に、開口部８８ａが設けられている。具体的には、下部反射部材８８１は、進行部の一例としての開口部８８１ａを有する。また、中央部反射部材８８２は、下流側進行部の一例としての開口部８８２ａを有する。その一方で、上部反射部材８８３には、開口部が設けられていない。
【０１４４】
下部反射部材８８１の開口部８８１ａは、中央部反射部材８８２の開口部８８２ａよりも、左右方向に長く形成されている。
言い換えると、中央部反射面８８２ｒは、下部反射面８８１ｒよりも、右側Ｒに長く形成されている。また、上部反射面８８３ｒは、中央部反射面８８２ｒよりも、右側Ｒに長く形成されている。また、上部反射面８８３ｒは、通過部材９０から筐体８９の右側Ｒにおける側部にわたって設けられている。
【０１４５】
通過部材９０は、発光部６４から発せられた光を反射する蓋部材９１と、反射部材８８により反射された光を通過させる通過窓９２とを有する。
通過窓９２は、上下方向において予め定められた間隔で並び、蓋部材９１のうちの三箇所に設けられている。図１９に示すように、三つの通過窓９２は、上下方向および前後方向に沿った辺を有する四角形状に形成されている。また、三つの通過窓９２は、蓋部材９１に設けられた開口部にカバー部材９３が取り付けられることにより形成される。
【０１４６】
本実施形態では、図２０に示すように、三つの通過窓９２として、下側Ｄから順に、通過部の一例としての下部通過窓９２１、下流側通過部の一例としての中央部通過窓９２２、上部通過窓９２３が設けられている。
【０１４７】
カバー部材９３は、可視光に対する透過性を有している。また、カバー部材９３の材料には、ＰＣ（ポリカーボネイト）、ＰＭＭＡ（ポリメタクリル酸メチル樹脂）などの樹脂を用いることができる。
なお、筐体８９および通過部材９０により塞がれた空間には空気が入っている。
【０１４８】
また、下部通過窓９２１の上側Ｕにおける先端と、下部反射面８８１ｒにおいて最も左側Ｌに形成された溝部８８１ｄとは、上下方向における位置が揃っている。
また、中央部通過窓９２２の上側Ｕにおける先端と、中央部反射面８８２ｒにおいて最も左側Ｌに形成された溝部８８２ｄとは、上下方向における位置が揃っている。
また、上部通過窓９２３の上側Ｕにおける先端と、上部反射面８８３ｒにおいて最も左側Ｌに形成された溝部８８３ｄとは、上下方向における位置が揃っている。
【０１４９】
続いて、照明部７９において発光部６４から発せられた光の進行について説明する。
図２１は、発光部６４から発せられた光の進行について説明するための図である。
発光部６４から発せられ光路ｂｍ１６を通る光があるとする。光路ｂｍ１６を通る光は、下部反射部材８８１へ向かって進行する。また、光路ｂｍ１６を通る光は、下部反射面８８１ｒの溝部８８１ｄにより反射されると、下部通過窓９２１へ向かって進行する。そして、この光は、下部通過窓９２１を通過して照明部７９の外部へ出射される。
【０１５０】
また、発光部６４から発せられ光路ｂｍ１７を通る光があるとする。光路ｂｍ１７を通る光は、下部反射部材８８１により反射されることなく下部反射部材８８１の開口部８８１ａを通過し、中央部反射部材８８２へ向かって進行する。
また、光路ｂｍ１７を通る光は、中央部反射面８８２ｒにおける溝部８８２ｄに当たって反射されると、中央部通過窓９２２へ向かって進行する。そして、この光は、中央部通過窓９２２を通過して照明部７９の外部へ出射される。
【０１５１】
また、発光部６４から発せられ光路ｂｍ１８を通る光があるとする。光路ｂｍ１８を通る光は、筐体８９および蓋部材９１により反射され進行方向を切り替えながら下部反射部材８８１の開口部８８１ａを通過し、中央部反射部材８８２へ向かう。そのため、光路ｂｍ１８を通る光は、下部反射部材８８１により反射されない。
そして、光路ｂｍ１８を通る光は、中央部反射面８８２ｒにおける溝部８８２ｄに当たって反射されると、中央部通過窓９２２へ向かって進行する。具体的には、この光は、中央部通過窓９２２のうちの光路ｂｍ１７よりも上側Ｕへ向かって進行する。そして、この光は、中央部通過窓９２２を通過して照明部７９の外部へ出射される。
【０１５２】
また、発光部６４から発せられ光路ｂｍ１９を通る光があるとする。光路ｂｍ１９を通る光は、筐体８９および蓋部材９１により反射され進行方向を切り替えながら上側Ｕへ進む。また、光路ｂｍ１９を通る光は、下部反射部材８８１の開口部８８１ａおよび中央部反射部材８８２の開口部８８２ａを通過して、上部反射部材８８３へ向かう。そのため、光路ｂｍ１９を通る光は、下部反射部材８８１および中央部反射部材８８２により反射されない。
そして、光路ｂｍ１９を通る光は、上部反射面８８３ｒの溝部８８３ｄにより反射されると、上部通過窓９２３へ向かって進行する。そして、この光は、上部通過窓９２３を通過して照明部７９の外部へ出射される。
【０１５３】
このように、本実施形態では、発光部６４から発せられた光が、下部通過窓９２１、中央部通過窓９２２、および、上部通過窓９２３を通過する。これにより、照明部７９の上下方向における下側Ｄの端部、中央部、および、上側Ｕの端部のそれぞれから出る光により、周囲が照らされる。
【０１５４】
また、本実施形態では、三つの反射部材８８のうちの下側Ｄに設けられている反射部材８８ほど、開口部８８ａが大きく設けられている。そして、発光部６４から発せられた光は、この開口部８８ａを通過して上側Ｕへ進行しやすくなっている。そのため、下部通過窓９２１から光が集中的に出射されることが抑制され、中央部通過窓９２２および上部通過窓９２３でも光が出射される配光となる。
この結果、照明部７９のうちの発光部６４から近い箇所と遠い箇所において照明部７９から出射される光量が均一になる。
【０１５５】
ここで、図１１に示した冷蔵庫１において、棚４によって上下方向における各段に区切られた領域に三つの通過窓９２の各々が位置するように照明部７９が配置されるとする。この場合に、照明部７９は、棚４により各段に区切られた領域を照らすことが可能になる。
【０１５６】
また、照明部７９の内部において、隣り合う通過窓９２の間は、光を上側Ｕへ進行させる導波路になっている。そして、発光部６４から発せられた光は、筐体８９および蓋部材９１により繰り返し反射されながらこの導波路を進行し、通過窓９２から出射される。
これにより、発光部６４から発せられた光が反射されることなく照明部７９の外部へ出射され、光の状態がグレアになることが抑制される。
【０１５７】
また、本実施形態では、反射部材８８の反射面８８ｒに複数の溝部８８ｄが設けられている。これにより、反射面８８ｒに反射される光の進行方向が分散しやすくなる。
したがって、一つの通過窓９２において一部の領域のみから光が出射されることが抑制される。その結果、照明部７９により照らされる箇所は、通過窓９２の全域から照らされるようになる。
【０１５８】
続いて、照明部７９の配光について説明する。
図２２は、照明部７９の配光について説明するための図である。図２２には、反射部材８８を有しない場合の照明部７９の配光Ｖｃを示した。また、図２２には、本実施形態において反射部材８８を有する照明部７９の配光Ｖｄを示した。
【０１５９】
反射部材８８を有しない照明部７９によると、配光Ｖｃは、一方向に偏ることなく均一になる。この場合、照明部７９の左側Ｌにおける配光が少なく、通過窓９２から出射される光が少なくなる。
これに対し、本実施形態の照明部７９によると、配光Ｖｄは、配光Ｖｃに比べて、左側Ｌに偏っている。また、上下方向における上側Ｕの端部では、下側Ｄの端部と同程度の配光となっている。この場合、三つの通過窓９２から出射される光により照らされる箇所が明るくなりやすくなる。また、三つの通過窓９２の各々において出射される光量が均一になる。その結果、三つの通過窓９２の各々から出射される光により照らされる各箇所における照度の差が小さくなる。
【０１６０】
なお、本実施形態でも、実施形態１と同様に、発光部６４のレンズ部材５５（図２０参照）の替わりに、光を反射する反射部（不図示）が設けられてもよい。
また、本実施形態でも、図８に示した実施形態１における照明部６０と同様に、照明部７９を同じ向きに二つ並べてもよい。
また、本実施形態でも、図９に示した実施形態１における照明部６０と同様に、照明部７９を逆向きに二つ並べてもよい。
また、本実施形態でも、図１０に示した実施形態１における照明部６０と同様に、面状発光を実現するために複数の照明部７９を並べてもよい。
【０１６１】
＜冷蔵庫内における照明部の配置について＞
図２に示した実施形態１の照明部６０は、図１１に示した照明部が設けられている何れの位置に配置されてもよい。また、照明部６０のうちのカバー部材６８が設けられている側面が、冷蔵庫１（図１１参照）の内部の壁面に面しないようであれば、照明部６０は冷蔵庫１にどのように取り付けられてもよい。
【０１６２】
また、図１２に示した実施形態２の照明部７８は、図１および図１１に示した照明部が設けられている何れの位置に配置されてもよい。また、照明部７８のうちのカバー部材６８が設けられている側面（図１３参照）が、冷蔵庫１（図１、図１１参照）の内部の壁面に面しないようであれば、照明部７８は冷蔵庫１にどのように取り付けられてもよい。
【０１６３】
また、図１５に示した実施形態３の照明部８０は、図１および図１１に示した照明部が設けられている何れの位置に配置されてもよい。また、照明部８０のうちのカバー部材８６が設けられている側面（図１６参照）が、冷蔵庫１の内部の壁面に面しないようであれば、照明部８０は冷蔵庫１にどのように取り付けられてもよい。
【０１６４】
また、図２０に示した実施形態４の照明部７９は、図１および図１１に示した照明部が設けられている何れの位置に配置されてもよい。また、照明部７９のうちの通過部材９０が設けられている側面が、冷蔵庫１の内部の壁面に面しないようであれば、照明部７９は冷蔵庫１にどのように取り付けられてもよい。
【０１６５】
＜導光板を用いない照明部について＞
実施形態１の照明部６０、実施形態２の照明部７８、実施形態３の照明部８０、および、実施形態４の照明部７９では、何れも、照明部の内部において空気中を進行する光の配光を制御している。言い換えると、これらの照明部では、導光板による配光の制御をしていない。
【０１６６】
ここで、一般的に、導光板で光を反射することにより配光を制御する場合、導光板に対する光の入射角が臨界角を超えると光の伝送の損失が発生する。そして、その結果、照明部からの光の取り出し効率が低下するおそれがある。
これに対し、実施形態１乃至実施形態４の照明部のように導光板を用いることなく配光を制御することにより、光の伝送の損失が抑制される。そして、その結果、照明部からの光の取り出し効率が向上する。
【０１６７】
＜照明部を車両に取り付ける例について＞
次に、照明部を車両に取り付ける例について説明する。実施形態１乃至４では、冷蔵庫１に設けられる照明部の構成について説明した。ここで、実施形態１乃至４で説明した照明部は、冷蔵庫１以外のものに設けられてもよい。
図２３は、照明部が取り付けられる車両１０の構成図である。なお、以下の説明では、図２３に示す車両１０の前後方向の紙面左側を単に「奥側Ｂ」、紙面右側を単に「手前側Ｆ」と称する。そして、図２３に示す車両１０の左右方向の紙面下側を単に「右側Ｒ」、紙面上側を単に「左側Ｌ」と称する。
【０１６８】
車両１０は、胴体となる車体１１を有する。また、車体には、前面部１２が設けられている。さらに、前面部１２の左右方向における中央部よりも左側Ｌと右側Ｒとには、ヘッドライトとしての照明部６０が一つずつ設けられている。
ここで、照明部６０が前面部１２に取り付けられる場合、カバー部材６８が奥側Ｂを向くように照明部６０が設けられていればよい。
【０１６９】
また、前面部１２には、実施形態２における照明部７８、実施形態３における照明部８０、実施形態４における照明部７９の何れのものが設けられてもよい。照明部６０、照明部７８、照明部８０、および、照明部７９は、車両用照明装置の一例である。
ここで、照明部７８が前面部１２に取り付けられる場合、カバー部材６８が奥側Ｂを向くように照明部７８が設けられていればよい。
【０１７０】
また、照明部８０が前面部１２に取り付けられる場合、カバー部材８６が奥側Ｂを向くように照明部８０が設けられていればよい。
また、照明部７９が前面部１２に取り付けられる場合、通過部材９０が奥側Ｂを向くように照明部７９が設けられていればよい。
【０１７１】
一般的に、前面部１２に照明部が設けられる場合、図２３に示すように、照明部は、奥側Ｂを向くとともに左右方向を向くことが多い。ここで、配光制御が行われない照明部によると、左右方向が照らされる分、奥側Ｂを照らしづらくなる。
これに対し、実施形態１乃至実施形態４の照明部のように、配光制御可能な照明部が設けられることにより、車両１０の進行方向である奥側Ｂを照らすことができる。
また、実施形態１乃至実施形態４の照明部は、ヘッドライトとしてではなく、車幅灯、方向指示器として用いられる信号灯、尾灯として用いられてもよい。
【０１７２】
１…冷蔵庫、２…収容室、４…棚、１０…車両、５４…基板、５５…レンズ部材、６０…照明部、６５…反射部材、６６…短反射部、６７…突出反射部、６８…カバー部材、６９…筐体
【図１】
2018097919.tif 000003
【図２】
2018097919.tif 000004
【図３】
2018097919.tif 000005
【図４】
2018097919.tif 000006
【図５】
2018097919.tif 000007
【図６】
2018097919.tif 000008
【図７】
2018097919.tif 000009
【図８】
2018097919.tif 000010
【図９】
2018097919.tif 000011
【図１０】
2018097919.tif 000012
【図１１】
2018097919.tif 000013
【図１２】
2018097919.tif 000014
【図１３】
2018097919.tif 000015
【図１４】
2018097919.tif 000016
【図１５】
2018097919.tif 000017
【図１６】
2018097919.tif 000018
【図１７】
2018097919.tif 000019
【図１８】
2018097919.tif 000020
【図１９】
2018097919.tif 000021
【図２０】
2018097919.tif 000022
【図２１】
2018097919.tif 000023
【図２２】
2018097919.tif 000024
【図２３】
2018097919.tif 000025